(57)【要約】【課題】面倒な作業を必要とせずに、各国に設置されたエレベータの動作状態を遠隔監視する。【解決手段】一実施形態に係るエレベータの遠隔監視システムは、エレベータの運転を制御する制御装置２１と、予め設定された複数の監視項目に関する情報を制御装置２１から読み出す遠隔監視装置２２と、この遠隔監視装置２２とは独立してエレベータ１１に設けられ、遠隔監視装置２２によって読み出された各監視項目に関する情報をエレベータ１１の設置国の通信規格に従って監視センタ１３に送る通信装置２３とを備える。【選択図】図１
2017013936.tif 000002
【特許請求の範囲】
【請求項１】
監視センタと監視対象であるエレベータとが通信ネットワークを介して接続されたエレベータの遠隔監視システムにおいて、
上記エレベータの運転を制御する制御装置と、
予め設定された複数の監視項目に関する情報を上記制御装置から読み出す遠隔監視装置と、
この遠隔監視装置とは独立して上記エレベータに設けられ、上記遠隔監視装置によって読み出された上記各監視項目に関する情報を上記エレベータの設置国の通信規格に従って上記監視センタに送る通信装置と
を具備したことを特徴とするエレベータの遠隔監視システム。
【請求項２】
上記遠隔監視装置は、
各国毎に定められた複数の監視項目を記憶した監視項目テーブルと、
この監視項目テーブルを参照して上記エレベータの設置国に対応した各監視項目を判断し、これらの監視項目に関する情報を上記制御装置から読み出す監視手段と
を備えたことを特徴とする請求項１記載のエレベータの遠隔監視システム。
【請求項３】
上記遠隔監視装置は、
現地の時刻を取得する時刻取得手段を備え、
上記監視手段は、
上記時刻取得手段によって得られた現地の時刻を上記各監視項目に関する情報に付して上記通信装置に与えることを特徴とする請求項２記載のエレベータの遠隔監視システム。
【請求項４】
上記遠隔監視装置は、
任意の国を選択するためのスイッチを備え、
上記監視手段は、
電源投入時に上記スイッチの状態から上記エレベータの設置国を判断し、上記監視項目テーブルを参照して上記エレベータの設置国に対応した各監視項目に関する情報を上記制御装置から読み出すことを特徴とする請求項２記載のエレベータの遠隔監視システム。
【請求項５】
上記遠隔監視装置は、
電源投入時に上記制御装置に記憶された国データに基づいて上記エレベータの設置国を判断し、上記監視項目テーブルを参照して上記エレベータの設置国に対応した各監視項目に関する情報を上記制御装置から読み出すことを特徴とする請求項２記載のエレベータの遠隔監視システム。
【請求項６】
上記通信装置は、
上記各監視項目に対する優先度順位を記憶した優先度順位テーブルと、
この優先度順位テーブルを参照して上記各監視項目に関する情報の優先度を決定する優先度決定手段と、
この優先度決定手段によって決定された優先度に従って上記各監視項目に関する情報を上記監視センタへ送信する通信手段と
を備えたことを特徴とする請求項１または２記載のエレベータの遠隔監視システム。
【請求項７】
上記優先度順位テーブルの内容は、上記監視センタからの遠隔操作によって変更されることを特徴とする請求項６記載のエレベータの遠隔監視システム。
【請求項８】
監視対象であるエレベータに設けられ、上記エレベータの運転を制御する制御装置に接続される遠隔監視装置であって、
各国毎に定められた複数の監視項目を記憶した監視項目テーブルと、
この監視項目テーブルを参照して上記エレベータの設置国に対応した各監視項目を判断し、これらの監視項目に関する情報を上記制御装置から読み出す監視手段と
を具備したことを特徴とする遠隔監視装置。
【請求項９】
監視対象であるエレベータに設けられ、上記エレベータの運転を制御する制御装置から予め設定された複数の監視項目に関する情報を読み出す遠隔監視装置に接続される通信装置であって、
上記各監視項目に対する優先度順位を記憶した優先度順位テーブルと、
この優先度順位テーブルを参照して上記各監視項目に関する情報の優先度を決定する優先度決定手段と、
この優先度決定手段によって決定された優先度に従って上記各監視項目に関する情報を監視センタへ送信する通信手段と
を具備したことを特徴とする通信装置。
【発明の詳細な説明】
【技術分野】
【０００１】
本発明の実施形態は、エレベータの運転状態を遠隔的に監視するエレベータの遠隔監視システムと、この遠隔監視システムに用いられる遠隔監視装置及び通信装置に関する。
【背景技術】
【０００２】
エレベータの遠隔監視システムは、各地域に存在する多数のエレベータと監視センタとを通信ネットワークで接続し、各エレベータの動作状態に関する各種情報を監視センタに送ることで、各エレベータの動作状態を遠隔的に監視している。監視センタでは、各エレベータから送られて来た各種情報を監視画面に表示するなどして、何らかの異常を検出した場合に保守員を現場に派遣するなどして対応する。
【先行技術文献】
【特許文献】
【０００３】
【特許文献１】特開平９−２７４６９４号公報
【特許文献２】特開２０１０−２８３５９１号公報
【特許文献３】特開２００６−２９０５２３号公報
【発明の概要】
【発明が解決しようとする課題】
【０００４】
監視対象であるエレベータが監視センタと同じ国内に設置されている場合には、そのエレベータの動作状態に関する各種情報を監視センタに送る場合に通信的な問題はない。しかし、監視センタとは異なる国（他国）に設置されたエレベータについては、その国の通信規格に適合した通信装置が必要となる。また、国によって監視項目も異なるため、その国に合わせた監視項目を設定するなど、面倒な作業が必要となる。
【０００５】
本発明が解決しようとする課題は、面倒な作業を必要とせずに、各国に設置されたエレベータの動作状態を遠隔監視することのできるエレベータの遠隔監視システム、遠隔監視装置及び通信装置を提供することである。
【課題を解決するための手段】
【０００６】
一実施形態に係るエレベータの遠隔監視システムは、監視センタと監視対象であるエレベータとが通信ネットワークを介して接続されたエレベータの遠隔監視システムにおいて、上記エレベータの運転を制御する制御装置と、予め設定された複数の監視項目に関する情報を上記制御装置から読み出す遠隔監視装置と、この遠隔監視装置とは独立して上記エレベータに設けられ、上記遠隔監視装置によって読み出された上記各監視項目に関する情報を上記エレベータの設置国の通信規格に従って上記監視センタに送る通信装置とを備える。
【図面の簡単な説明】
【０００７】
【図１】図１は第１の実施形態に係るエレベータの遠隔監視システムの構成を示す図である。
【図２】図２は同実施形態における遠隔監視装置に設けられた監視項目テーブルの一例を示す図である。
【図３】図３は同実施形態におけるエレベータの乗りかごの一例を示す図である。
【図４】図４は同実施形態におけるエレベータの遠隔監視システムの動作を示すフローチャートである。
【図５】図５は第２の実施形態に係るエレベータの遠隔監視システムの構成を示す図である。
【図６】図６は第３の実施形態に係るエレベータの遠隔監視システムの構成を示す図である。
【図７】図７は同実施形態における通信装置に設けられた優先度順位テーブルの一例を示す図である。
【図８】図８は同実施形態におけるエレベータの遠隔監視システムの動作を示すフローチャートである。
【発明を実施するための形態】
【０００８】
以下、図面を参照して実施形態を説明する。
【０００９】
（第１の実施形態）
図１は第１の実施形態に係るエレベータの遠隔監視システムの構成を示す図である。
【００１０】
監視対象であるエレベータ１１が通信ネットワーク１２を介して監視センタ１３に接続されている。なお、エレベータ１１は監視センタ１３とは別の国に設置されているものとする。例えば、監視センタ１３は日本国内にあり、エレベータ１１は日本以外の国に設置されている場合を想定している。つまり、監視センタ１３は、通信ネットワーク１２を通じて他国に存在するエレベータ１１の動作状態を遠隔的に監視している。
【００１１】
図１の例では、１台のエレベータ１１しか図示されていないが、実際には各国毎に様々な場所（世界各地）に設置された多数のエレベータ１１が監視対象として通信ネットワーク１２を介して監視センタ１３に接続されている。監視センタ１３は、これらのエレベータ１１から送られて来る各種情報を監視画面に表示するなどして、何らかの異常を検出した場合に保守員を現場に派遣するなどして対応する。
【００１２】
通信ネットワーク１２は、公衆回線網などからなる。通信ネットワーク１２には、監視センタ１３の他にＮＴＰ（Network Time Protocol）サーバ１４が接続されている。ＮＴＰサーバ１４は、現地の時刻（エレベータ１１が設置された地域における現在の時刻）を管理している。
【００１３】
エレベータ１１には、エレベータ制御装置２１、遠隔監視装置２２、通信装置２３が設けられている。なお、通常は、遠隔監視装置２２に通信機能（通信装置２３）が備えられているが、本システムでは、遠隔監視装置２２と通信装置２３が分離されている構成が特徴である。遠隔監視装置２２と通信装置２３が分離されているため、遠隔監視装置２２は通信機能を持たない。
【００１４】
エレベータ制御装置２１は、例えば乗りかごの速度制御やドアの開閉制御、各種操作ボタンに対応した制御などを含むエレベータ全体の運転制御を行う。
【００１５】
遠隔監視装置２２は、動作監視用の監視端末である。遠隔監視装置２２は、エレベータ制御装置２１に接続され、エレベータ１１の動作状態を監視する。本実施形態において、この遠隔監視装置２２には、国選択スイッチ２４、監視項目テーブル２５、監視部２６、時刻取得部２７が備えられている。
【００１６】
国選択スイッチ２４は、予め用意された複数の国の中から任意の国を選択するためのスイッチである。監視項目テーブル２５には、予め各国で定められた複数の監視項目を記憶している（図２参照）。監視部２６は、国選択スイッチ２４の状態からエレベータ１１が設置された国（以下、設置国と称す）を判断し、監視項目テーブル２５を参照して、その設置国に対応した各監視項目に関する情報をエレベータ制御装置２１から読み出す。
【００１７】
時刻取得部２７は、通信装置２３から現地の時刻を取得する。監視部２６は、この時刻取得部２７によって得られた現地の時刻を各監視項目に関する情報に付して通信装置２３に与える。
【００１８】
通信装置２３は、遠隔監視装置２２に接続されている。通信装置２３は、遠隔監視装置２２によって読み出された各監視項目に関する情報をエレベータ１１の設置国の通信規格に従って通信ネットワーク１２を介して監視センタ１３に送る。また、通信装置２３は、時刻取得部２８を備えており、通信ネットワーク１２上のＮＴＰサーバ１４に定期的にアクセスして正確な現地時刻を取得している。
【００１９】
なお、図１の構成において、エレベータ制御装置２１と遠隔監視装置２２が一体化されていると、例えばエレベータ制御装置２１が何らかの異常で故障した場合に遠隔監視装置２２の監視機能が働かずにエラー情報を発報できなくなる。このため、本システムでは、エレベータ制御装置２１と遠隔監視装置２２が独立して設けられている。
【００２０】
エレベータ１１の設置国によって通信規格が違うため、遠隔監視装置２２と通信装置２３が一体化されていると、遠隔監視装置２２を他の国で使うことができない。このため、本システムでは、遠隔監視装置２２と通信装置２３が独立して設けられている。
【００２１】
ここで、通信装置２３はエレベータ１１の設置国に適合したものを使用するが、遠隔監視装置２２は各国共通に使用される。この場合、各国によって監視項目が違うので、遠隔監視装置２２は国選択スイッチ２４の操作によって国別に監視項目を任意に変更可能な構成を有している。
【００２２】
図２は監視項目テーブル２５の一例を示す図である。
【００２３】
エレベータの監視項目は、必ずしも各国で共通というわけではなく、国によって異なる場合もある。図２の例では、Ａ国の監視項目として、「非常呼びボタン押下状態」，「運行情報：エラーログ」，「運行情報：運行ログ」などが設定されている。また、Ｂ国の監視項目として、「運行情報：エラーログ」，「運行情報：運行ログ」などが設定されている。
【００２４】
「非常呼びボタン押下状態」は、後述する乗りかご３１内に設置された非常呼びボタン３４の押下状態を監視する項目である。日本では、この監視項目は必須であるが、他国では必ずしも必要としない場合がある。
【００２５】
「運行情報：エラーログ」は、エレベータ１１の運行中に発生したエラーを監視する項目である。実際には、国別にエラーに関する様々監視項目があるが、その詳細については機密事項に当たるため、ここでは省略するものとする。
【００２６】
「運行情報：運行ログ」は、エレベータ１１の運行状態を監視する項目である。実際には、国別に運行に関する様々な項目があるが、その詳細については機密事項に当たるため、ここでは省略するものとする。
【００２７】
なお、例えばエレベータ１１の起動回数、ドアの開閉時間、走行距離などを含む保守情報を監視項目の１つとして加えて監視センタ１３に送るようにしても良い。
【００２８】
図３はエレベータの乗りかごの一例を示す図である。
【００２９】
エレベータ１１は、図３に示すような乗りかご３１を備えている。乗りかご３１の正面にはかごドア３２が開閉自在に取り付けられている。このかごドア３２の横には操作パネル３３、非常呼びボタン３４、マイク３５、スピーカ３６、表示器３７などが設置されている。
【００３０】
操作パネル３３には、複数の階床ボタン３３ａ、戸開ボタン３３ｂ、戸閉ボタン３３ｃなどを含む各種操作ボタンが配設されている。非常呼びボタン３４は、非常時に外部に連絡するための操作ボタンである。外部とは、図１に示した監視センタ１３である。すなわち、非常呼びボタン３４の押下状態が監視項目に含まれている場合には、この非常呼びボタン３４を押下すると、乗りかご３１と監視センタ１３との間の電話回線が接続され、乗客は非常呼びボタン３４の近くに設置されたマイク３５とスピーカ３６を通じて監視センタ１５のオペレータと電話で通話することができる。表示器３７は、例えば小型のＬＣＤ（Liquid Crystal Display）からなり、乗りかご３１の現在位置や運転方向などの運転状態などを表示する。
【００３１】
次に、第１の実施形態の動作について説明する。
【００３２】
図４は第１の実施形態におけるエレベータの遠隔監視システムの動作を示すフローチャートである。
【００３３】
いま、監視センタ１３とは別の国に設置されたエレベータ１１を起動する場合を想定する。現地において、保守員は遠隔監視装置２２に設けられた国選択スイッチ２４の操作により、現地の国を選択してから遠隔監視装置２２の電源をＯＮする。このとき、エレベータ１１には、その国の通信規格に適合した通信装置２３が設置されているものとする。
【００３４】
遠隔監視装置２２の電源をＯＮすると（ステップＳ１１のＹｅｓ）、監視部２６は、国選択スイッチ２４の状態を確認し（ステップＳ１２）、エレベータ１１の設置国を判断する（ステップＳ１３）。そして、監視部２６は、監視項目テーブル２５を参照して、その設置国に対応した各監視項目を設定する（ステップＳ１４）。
【００３５】
例えば、国選択スイッチ２４によってＡ国が選択されていれば、監視部２６は、図２に示した監視項目テーブル２５を参照してＡ国に対応した各監視項目を設定する。具体的には、例えばＡ国の各監視項目にフラグをセットして、エレベータ１１の運転中に当該フラグがセットされた各監視項目について監視できる状態にする。
【００３６】
また、監視部２６は、遠隔監視装置２２の時刻取得部２７と通信装置２３の時刻取得部２８の同期を取り（ＮＴＰ同期）、通信装置２３から現地時刻を取得して時刻取得部２７にセットする（ステップＳ１５）。
【００３７】
このようにして、エレベータ１１の設置国に対応した各監視項目と現地時刻が設定されると、以後、エレベータ１１の運転中に上記各監視項目に対する監視が継続的に行われ、これらの監視項目に関する情報が所定のタイミングで監視センタ１３に送られる。
【００３８】
詳しくは、まず、監視部２６がエレベータ１１の設置国に対応した各監視項目を確認し、これらの監視項目に関する情報をエレベータ制御装置２１から読み出す（ステップＳ１６）。監視部２６は、これらの情報に時刻取得部２７にて取得された現地時刻を付して通信装置２３に与える（ステップＳ１７）。通信装置２３は、通信ネットワーク１２の状態を確認し、通信可能な状態のときに遠隔監視装置２２から受け取った各情報を通信ネットワーク１２を介して監視センタ１３に送信する（ステップＳ１８）。各監視項目のすべてについて同様の処理が継続的に行われ、これらの監視項目に関する情報が通信装置２３を通じて監視センタ１３に送られる（ステップＳ１９）。
【００３９】
ここで、各監視項目に関する情報（監視情報）には、それぞれに現地時刻が付されているので、エレベータ１１の設置国と監視センタ１３の設置国との間に時差があっても、監視センタ１３側では、現地時刻を基準にして各監視情報を認識することができる。例えば現地との間に＋１２時間の時差があり、何らかの監視情報が２１：００に監視センタ１３に入ってきたとしても、当該監視情報に付加された時刻情報から現地で９：００に発生したものと認識できる。
【００４０】
なお、通信装置２３で監視情報を送るときに現地時刻を付加することも考えられるが、通信ネットワーク１２の通信状態によっては監視情報を直ぐに送信できないこともある。そのため、本実施形態では、遠隔監視装置２２側でエレベータ制御装置２１から監視情報を読み出したときに、現地時刻を付加する構成としている。この場合、遠隔監視装置２２はＮＴＰサーバ１４にアクセスできないので（遠隔監視装置２２は通信機能を持たないため）、通信装置２３のＮＴＰと同期を取って正確な現地時刻を取得している。
【００４１】
このように第１の実施形態によれば、遠隔監視装置２２と通信装置２３を分離させ、遠隔監視装置２２に各国の監視項目を任意に設定可能な機能を備えることで、現地で面倒な作業を必要とせずに、エレベータ１１の設置国に対応した各監視項目を監視することができる。この場合、通信装置２３はエレベータ１１の設置国の通信規格に適合したものを使用するが、遠隔監視装置２２についてはソフトウェアの改良を必要とせずに各国で共通に使用することができる。
【００４２】
（第２の実施形態）
次に、第２の実施形態について説明する。
【００４３】
上記第１の実施形態では、電源ＯＮ時に国選択スイッチ２４の状態からエレベータ１１の設置国を判断したが、第２の実施形態では、国選択スイッチ２４を用いずにエレベータ１１の設置国を判断する構成としている。
【００４４】
図５は第２の実施形態に係るエレベータの遠隔監視システムの構成を示す図である。なお、上記第１の実施形態における図１の構成と同じ部分には同一符号を付して、その説明を省略するものとする。
【００４５】
第２の実施形態において、エレベータ制御装置２１には、予めエレベータ１１の設置国に関するデータ（国データと称す）が記憶された記憶部２９が設けられている。遠隔監視装置２２には図１に示した国選択スイッチ２４はなく、電源ＯＮ時にエレベータ制御装置２１の記憶部２９から国データを読み出す機能が備えられている。
【００４６】
このような構成にあっては、遠隔監視装置２２の電源がＯＮしたときに、監視部２６がエレベータ制御装置２１の記憶部２９から国データを読み出し、その国データに基づいてエレベータ１１の設置国を判断する。
【００４７】
以後は上記第１の実施形態と同様である。すなわち、監視部２６は、監視項目テーブル２５を参照してエレベータ１１の設置国に対応した各監視項目を設定すると共に、通信装置２３と遠隔監視装置２２との間でＮＴＰの同期を取り、現地時刻を取得可能な状態にする。そして、エレベータ１１の運転中に監視部２６はエレベータ制御装置２１から各監視項目に関する情報を読み出し、現地時刻を付して通信装置２３に与える。通信装置２３では、通信ネットワーク１２が通信可能な状態のときに、これらの情報を監視センタ１３に送る。
【００４８】
このように第２の実施形態によれば、国選択スイッチ２４を必要とせずに、エレベータ制御装置２１の記憶部２９に記憶された国データに基づいてエレベータ１１の設置国に対応した各監視項目を自動的に設定することができる。
【００４９】
（第３の実施形態）
次に、第３の実施形態について説明する。
【００５０】
第３の実施形態では、遠隔監視装置と通信装置を分離させた構成において、通信装置にエレベータの設置国に合わせて各監視項目の優先度順位を任意に設定可能な機能を設けたことを特徴とする。
【００５１】
図６は第３の実施形態に係るエレベータの遠隔監視システムの構成を示す図である。この例では、２台（Ａ号機とＢ号機）のエレベータ５０ａ，５０ｂの動作状態を遠隔監視する場合の構成が示されている。
【００５２】
エレベータ５０ａ，５０ｂは、１つの建物内に設置されているものとする。また、エレベータ５０ａ，５０ｂは監視センタ７１とは別の国に設置されているものとする。例えば、監視センタ７１は日本国内にあり、エレベータ５０ａ，５０ｂは日本以外の国に設置されている場合を想定している。
【００５３】
Ａ号機のエレベータ５０ａには、エレベータ制御装置５１ａ、遠隔監視装置５２ａが設けられている。エレベータ制御装置５１ａは、制御部５３ａを有する。制御部５３ａは、例えばＡ号機の乗りかご３１の速度制御やドアの開閉制御、各種操作ボタンに対応した制御などを含むエレベータ５０ａの運転制御を行う。遠隔監視装置５２ａは、エレベータ制御装置５１ａに接続され、エレベータ５０ａの動作状態を監視する監視部５４ａを有する。監視部５４ａは、エレベータ５０ａに設定された各監視項目に関する情報を制御部５３ａから読み出す。
【００５４】
Ｂ号機のエレベータ５０ｂについても同様であり、エレベータ制御装置５１ｂ、遠隔監視装置５２ｂが設けられている。エレベータ制御装置５１ｂは、制御部５３ｂを有する。制御部５３ｂは、例えばＢ号機の乗りかご３１の速度制御やドアの開閉制御、各種操作ボタンに対応した制御などを含むエレベータ５０ｂの運転制御を行う。遠隔監視装置５２ａは、エレベータ制御装置５１ｂに接続され、エレベータ５０ｂの動作状態を監視する監視部５４ｂを有する。監視部５４ｂは、エレベータ５０ｂに設定された各監視項目に関する情報を制御部５３ａから読み出す。
【００５５】
なお、遠隔監視装置５２ａ，５２ｂについては、上記第１または第２の実施形態と同様に各国の監視項目を任意に設定可能な機能を備えているものとする。すなわち、遠隔監視装置５２ａ，５２ｂには図２に示した監視項目テーブル２５が設けられており、スイッチ操作あるいは国データに基づいてエレベータ５０ａ，５０ｂの設置国に対応した各監視項目が設定される。さらに、遠隔監視装置５２ａ，５２ｂには、通信装置６０から現地時刻を取得して各監視項目に関する情報に現地時刻を付加する機能も備えているものとする。
【００５６】
通信装置６０は、Ａ号機とＢ号機に共通で使用され、遠隔監視装置５２ａ，５２ｂで個別に読み出された各監視項目に関する情報をエレベータ５０ａ，５０ｂの設置国の通信規格に従って監視センタ７１に送る機能を有する。また、通信装置６０は、上記第１および第２の実施形態と同様に、図１に示した通信ネットワーク１２上のＮＴＰサーバ１４に定期的にアクセスして正確な現地時刻を取得する機能を備えているものとする。
【００５７】
ここで、本実施形態において、通信装置６０には、優先度順位テーブル６１、優先度決定部６２、記憶部６３、通信部６４が備えられている。
【００５８】
優先度順位テーブル６１は、各監視項目に対する優先度順位を記憶している（図７参照）。優先度決定部６２は、優先度順位テーブル６１を参照して監視部５４ａ，５４ｂによって読み出された各監視項目に関する情報の優先度を決定する。記憶部６３は、各監視項目に関する情報を一時的に保持しておくために用いられる。通信部６４は、エレベータ５０ａ，５０ｂの設置国の通信規格を有し、優先度決定部６２によって決定された優先度に従って各監視項目に関する情報に現地時刻を付して通信ネットワーク７０を介して監視センタ７１に送る。
【００５９】
監視センタ７１には通信部７２が設けられている。監視センタ７１は、他国に存在するエレベータ５０ａ，５０ｂから送られて来る各監視項目に関する情報を通信部７２にて受信し、これらの情報を監視画面に表示するなどして、何らかの異常を検出した場合に保守員を現場に派遣するなどして対応する。
【００６０】
また、各監視項目に関する情報（監視情報）に現地時刻を付して監視センタ７１に送ることで、エレベータ５０ａ，５０ｂの設置国と監視センタ７１の設置国との間に時差があっても、監視センタ７１側では、現地時刻を基準にして各監視情報を認識することができる。
【００６１】
図７は優先度順位テーブル６１の一例を示す図である。
【００６２】
優先度順位テーブル６１には、エレベータ５０ａ，５０ｂに設定された各監視項目に対する優先度順位が記憶されている。Ａ号機とＢ号機で同じ監視項目がある場合にはどちらの号機の監視項目を優先するのかを含めて優先度順位が記憶されている。図７の例では、Ａ号機の「非常呼びボタン押下状態」、Ｂ号機の「非常呼びボタン押下状態」、Ａ号機の「運行情報：エラーログ」、Ｂ号機の「運行情報：運行ログ」…といった順で各監視項目に対する優先度順位が記憶されている。
【００６３】
「非常呼びボタン押下状態」，「運行情報：エラーログ」，「運行情報：運行ログ」については上記第１の実施形態で説明した通りである。実際にはさらに細かい監視項目があるが、その詳細については機密事項に当たるため、ここでは省略するものとする。
【００６４】
次に、第３の実施形態の動作を説明する。
【００６５】
図８は第３の実施形態におけるエレベータの遠隔監視システムの動作を示すフローチャートである。
【００６６】
Ａ号機のエレベータ５０ａの運転中に、遠隔監視装置５２ａに設けられた監視部５４ａによってＡ号機の各監視項目に関する情報がエレベータ制御装置５１ａの制御部５３ａから読み出される。同様に、Ｂ号機のエレベータ５０ｂの運転中に、遠隔監視装置５２ｂに設けられた監視部５４ｂによってＢ号機の各監視項目に関する情報がエレベータ制御装置５１ｂの制御部５３ｂから読み出される。
【００６７】
各監視項目には、「非常呼びボタン押下状態」，「運行情報：エラーログ」，「運行情報：運行ログ」などが含まれる。これらの監視項目に関する情報（監視情報）は、監視部５４ａ，５４ｂによって読み出された順に通信装置６０に与えられる。
【００６８】
図８に示すように、通信装置６０に設けられた優先度決定部６２は、監視部５４ａ，５４ｂから各監視情報を取得すると（ステップＳ２１のＹｅｓ）、優先度順位テーブル６１を参照して各監視情報の優先度を決定する（ステップＳ２２）。
【００６９】
一方、通信部６４は、通信ネットワーク７０の通信状態を確認する（ステップＳ２３）。そして、通信可能な状態であれば（ステップＳ２４のＹｅｓ）、通信部６４は、優先度決定部６２によって決定された優先度に従って各監視情報を監視センタ７１に送信する（ステップＳ２５）。
【００７０】
一方、通信不可の状態であれば、通信部６４は、各監視情報を記憶部６３に保留しておき（ステップＳ２６）、通信可能な状態になったときに、記憶部６３から各監視情報を読み出して監視センタ７１に送信する（ステップＳ２２〜Ｓ２５）。
【００７１】
例えば、Ａ号機の非常呼びボタンが押下されたことを示す監視情報と、Ａ号機の乗りかご３１を運行中に何らかのエラー発生したことを示す監視情報が通信装置６０に与えられたとする。
【００７２】
このような場合、図７に示すように、「非常呼びボタン押下状態」が「運行情報：エラーログ」よりも優先度順位が高く設定されているので、通信装置６０では、非常呼びボタンが押下されたことを優先して、通信ネットワーク７０を介して監視センタ７１との電話回線を接続する。このとき、通信装置６０は、運行情報を記憶部６３に保留しておき、非常呼びの通話が終わり次第、その運行情報を監視センタ７１に送信する。
【００７３】
なお、日本では、「非常呼びボタン押下状態」の監視項目は必須であるが、他国では必ずしも必要としない場合がある。優先度順位テーブル６１の監視項目の削除や順位変更は、監視センタ７１から遠隔操作によって簡単に行うことができる。また、号機の増減された場合でも同様であり、監視センタ７１から遠隔操作によって、現在の号機台数に合わせて優先度順位テーブル６１を変更することができる。
【００７４】
このように第３の実施形態によれば、遠隔監視装置５２ａ，５２ｂと通信装置６０を分離させ、通信装置６０に各監視項目の優先度順位を任意に設定可能な機能を備えることで、各監視項目に関する情報に優先度を持たせて監視センタ７１に送ることができる。
【００７５】
通常、監視対象であるエレベータが監視センタと同じ日本国内にある場合、そのエレベータに使用される遠隔監視装置には通信機能が備えられ、１つのソフトウェアで監視項目の制御と通信制御を実施している。このため、日本国内以外の国に設置されたエレベータに遠隔監視装置を使用する場合には、その国に合わせて監視項目の制御と通信制御のソフトウェアをそれぞれ設計し直す必要があり、容易に海外展開ができない。これに対し、本システムでは、遠隔監視装置と通信装置を分離させているので、通信装置はその国の通信規格に合わせたものを使用するが、遠隔監視装置については、各監視項目の優先度順位を変更するだけで各国共通で使用することができる。
【００７６】
以上述べた少なくとも１つの実施形態によれば、面倒な作業を必要とせずに、各国に設置されたエレベータの動作状態を遠隔監視することのできるエレベータの遠隔監視システム、遠隔監視装置及び通信装置を提供することができる。
【００７７】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１１…エレベータ、１２…通信ネットワーク、１３…監視センタ、１４…ＮＴＰサーバ、２１…エレベータ制御装置、２２…遠隔監視装置、２３…通信装置、２４…国選択スイッチ、２５…監視項目テーブル、２６…監視部、２７…時刻取得部、２８…時刻取得部、２９…記憶部、３１…乗りかご、３２…かごドア、３３…操作パネル、３３ａ…階床ボタン、３３ｂ…戸開ボタン、３３ｃ…戸閉ボタン、３４…非常呼びボタン、３５…マイク、３６…スピーカ、５０ａ，５０ｂ…エレベータ、５１ａ，５１ｂ…エレベータ制御装置、５２ａ，５２ｂ…遠隔監視装置、５３ａ，５３ｂ…制御部、５４ａ，５４ｂ…監視部、６０…通信装置、６１…優先度順位テーブル、６２…優先度決定部、６３…記憶部、６４…通信部、７０…通信ネットワーク、７１…監視センタ、７２…通信部。
【図１】
2017013936.tif 000003
【図２】
2017013936.tif 000004
【図３】
2017013936.tif 000005
【図４】
2017013936.tif 000006
【図５】
2017013936.tif 000007
【図６】
2017013936.tif 000008
【図７】
2017013936.tif 000009
【図８】
2017013936.tif 000010
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
監視センタと各国に設置されたエレベータとが通信ネットワークを介して接続されたエレベータの遠隔監視システムにおいて、
上記エレベータの運転を制御する制御装置と、
予め設定された複数の監視項目に関する情報を上記制御装置から読み出す遠隔監視装置と、
この遠隔監視装置とは独立して上記エレベータに設けられ、上記遠隔監視装置によって読み出された上記各監視項目に関する情報を上記エレベータの設置国の通信規格に従って上記監視センタに送る通信装置と
を具備したことを特徴とするエレベータの遠隔監視システム。
【請求項２】
上記遠隔監視装置は、
各国毎に定められた複数の監視項目を記憶した監視項目テーブルと、
この監視項目テーブルを参照して上記エレベータの設置国に対応した各監視項目を判断し、これらの監視項目に関する情報を上記制御装置から読み出す監視手段と
を備えたことを特徴とする請求項１記載のエレベータの遠隔監視システム。
【請求項３】
上記遠隔監視装置は、
現地の時刻を取得する時刻取得手段を備え、
上記監視手段は、
上記時刻取得手段によって得られた現地の時刻を上記各監視項目に関する情報に付して上記通信装置に与えることを特徴とする請求項２記載のエレベータの遠隔監視システム。
【請求項４】
上記遠隔監視装置は、
任意の国を選択するためのスイッチを備え、
上記監視手段は、
電源投入時に上記スイッチの状態から上記エレベータの設置国を判断し、上記監視項目テーブルを参照して上記エレベータの設置国に対応した各監視項目に関する情報を上記制御装置から読み出すことを特徴とする請求項２記載のエレベータの遠隔監視システム。
【請求項５】
上記遠隔監視装置は、
電源投入時に上記制御装置に記憶された国データに基づいて上記エレベータの設置国を判断し、上記監視項目テーブルを参照して上記エレベータの設置国に対応した各監視項目に関する情報を上記制御装置から読み出すことを特徴とする請求項２記載のエレベータの遠隔監視システム。
【請求項６】
上記通信装置は、
上記各監視項目に対する優先度順位を記憶した優先度順位テーブルと、
この優先度順位テーブルを参照して上記各監視項目に関する情報の優先度を決定する優先度決定手段と、
この優先度決定手段によって決定された優先度に従って上記各監視項目に関する情報を上記監視センタへ送信する通信手段と
を備えたことを特徴とする請求項１または２記載のエレベータの遠隔監視システム。
【請求項７】
上記優先度順位テーブルの内容は、上記監視センタからの遠隔操作によって変更されることを特徴とする請求項６記載のエレベータの遠隔監視システム。
【請求項８】
監視対象であるエレベータに設けられ、上記エレベータの運転を制御する制御装置に接続される遠隔監視装置であって、
各国毎に定められた複数の監視項目を記憶した監視項目テーブルと、
この監視項目テーブルを参照して上記エレベータの設置国に対応した各監視項目を判断し、これらの監視項目に関する情報を上記制御装置から読み出す監視手段と
を具備したことを特徴とする遠隔監視装置。
【請求項９】
各国に設置されたエレベータに、上記エレベータの運転を制御する制御装置から予め設定された複数の監視項目に関する情報を読み出す遠隔監視装置とは独立して設けられる通信装置であって、
上記各監視項目に対する優先度順位を記憶した優先度順位テーブルと、
この優先度順位テーブルを参照して上記各監視項目に関する情報の優先度を決定する優先度決定手段と、
この優先度決定手段によって決定された優先度に従って上記各監視項目に関する情報を上記エレベータの設置国の通信規格に従って監視センタへ送信する通信手段と
を具備したことを特徴とする通信装置。
【手続補正２】
【補正対象書類名】明細書
【補正対象項目名】０００６
【補正方法】変更
【補正の内容】
【０００６】
一実施形態に係るエレベータの遠隔監視システムは、監視センタと各国に設置されたエレベータとが通信ネットワークを介して接続されたエレベータの遠隔監視システムにおいて、上記エレベータの運転を制御する制御装置と、予め設定された複数の監視項目に関する情報を上記制御装置から読み出す遠隔監視装置と、この遠隔監視装置とは独立して上記エレベータに設けられ、上記遠隔監視装置によって読み出された上記各監視項目に関する情報を上記エレベータの設置国の通信規格に従って上記監視センタに送る通信装置とを備える。